(57)【要約】【課題】トラクタの後輪で形成される轍溝を砕土部前方でその一部を埋め戻すことが可能で、その走行部の轍跡に影響されることがない均平性能を有し簡易で耐久性のある代掻き装置を提供する。【解決手段】トラクタ車輪１０と代掻き作業機２の砕土部２０との間に、トラクタ車輪１０により形成される轍溝へ土壌を埋め戻すための均平補助手段３を設け、ローターカバー２０３の取付け部は側面視くの字状に折り曲げ部２０４が設けられ、均平補助手段３の取付け面はローター軸２０２に対しローターカバー２０３の外側面に、また、ローターカバー２０３の内側面には補強板３１が対向してローターカバー２０３を挟持するように設けられ、挟持面はローターカバーの側面視くの字状の折り曲げ部２０４が含まれる位置である代掻き作業機による。【選択図】      図２
2012039981.tif 000002
【特許請求の範囲】
【請求項１】
進行方向と直行する方向に長い砕土部と、その後方に砕土部により砕土された土壌を押圧して均平作業を行う均平板を設けたトラクタの後方に装着されて使用される代掻き作業機において、トラクタ後輪と代掻き作業機の砕土部との間に、トラクタ後輪により形成される轍溝へ土壌を埋め戻すための均平補助手段が設けられていて、均平補助手段は、前記砕土部のローター軸の上部を覆うローターカバーの前方部に取付けられていて、ローターカバーの取付け部は側面視くの字状の折り曲げ部が設けられ、均平補助手段の取付け面はローター軸に対しローターカバーの外側面に、また、ローターカバーの内側面には補強板が対向してローターカバーを挟持するように設けられ、該挟持部は前記ローターカバーの側面視くの字状の折り曲げ部が含まれる位置であることを特徴とする代掻き作業機。
【発明の詳細な説明】
【技術分野】
【０００１】
本発明は、トラクタに装着されて使用される代掻き作業機の均平装置に関する。
【背景技術】
【０００２】
この種の代掻き装置の従来技術として実開昭５４−９７４０６号公報（従来技術１）または、実公昭４９−７１３９号公報(従来技術２)が開示されている。
【０００３】
実開昭５４−９７４０６号公報（従来技術１）には、「トラクタでけん引する砕土整地機のロータカバーの前縁部における上記トラクタの後輪に対応する左右部分にブラケットを取付け、上記ブラケットには土寄せ板を正面略ハ状に固着し、上記土寄せ板は、後部は進行方向に対して適当角度の勾配をつけ基部をせばめ傾斜誘導壁体を形成し、前部は進行方向に対してやや外方に開き気味に形成されていることを特徴とする砕土整地機におけるトラクタ車輪跡除去装置」また、前記トラクタ車輪跡除去装置において「ブラケットと土寄せ板とにおいて、当該土寄せ板を上記ブラケットに対して上下調整自在に構成した」技術の記載がある。
【０００４】
また、実公昭４９−７１３９号公報(従来技術２)には、「下端に土寄板１４を軸着した支持棒１５の上部を止金１７の凹部に係合して支持棒１５を主桁１３に固定し、１対の土寄板１４，１４をトラクタａのゴム車輪１の接地面後方においてゴム車輪１の中心線の両側に配置するようにした農耕用４輪トラクタに連結する水田代掻機におけるゴム車輪の跡を消す装置」の記載がある。
【先行技術文献】
【特許文献】
【０００５】
【特許文献１】実開昭５４−９７４０６号公報（従来技術１）
【特許文献２】実公昭４９−７１３９号公報(従来技術２)
【発明の概要】
【発明が解決しようとする課題】
【０００６】
代掻き砕土装置による砕土部や整地部の技術の向上により代掻き作業時の均平技術は向上してきているが、近年トラクタが４輪駆動となったことや圃場条件が良くなったこともあり、代掻き時に後輪に補助車輪を装着せずに作業が行われるようになってきている。このため、トラクタ後輪による轍溝が深く形成されやすくなり、代掻き作業による均平作業では轍が形成されて移動した土壌を轍溝に戻しきれずにトラクタ車輪の走行跡が低く筋状に残る傾向にある。また、トラクタが大型化することでタイヤ幅も広くなってきたことや、クローラ型の走行部を有するトラクタが使用されるようになってきて、走行部により移動される土量も増加し均平作業には不利な条件となってきている。
【０００７】
従来技術１に開示される「砕土整地機におけるトラクタ車輪跡除去装置」は、ローターカバーの前縁部にブラケットを取り付け土寄せ板を固着した構成となっているが、大量に移動された土壌を戻すことや、トラクタによるけん引作業には薄板で構成されたローターカバーへの取り付けのみでは強度上十分とはいえない構成となっている。また、従来技術２に開示される「農耕用４輪トラクタに連結する水田代掻機におけるゴム車輪の跡を消す装置」は、取付け部が専用に設けられ、代掻き装置に対応する場合、重量の増加や製造コストの嵩む問題がある。
【０００８】
このため本発明の目的は、トラクタの車輪部で形成される轍溝を均平化するための均平補助手段を設けて整地部での負担を軽減し、轍跡に影響されることがない均平性能を有する簡易で強度を十分に有した代掻き装置を提供することにある。
【課題を解決するための手段】
【０００９】
上記課題を解決するために、進行方向と直行する方向に長い砕土部と、その後方に砕土部により砕土された土壌を押圧して均平作業を行う均平板を設けたトラクタの後方に装着されて使用される代掻き作業機において、トラクタ後輪と代掻き作業機の砕土部との間に、トラクタ後輪により形成される轍溝へ土壌を埋め戻すための均平補助手段が設けられていて、均平補助手段は、前記砕土部のローター軸の上部を覆うローターカバーの前方部に取付けられていて、ローターカバーの取付け部は側面視くの字状の折り曲げ部が設けられ、均平補助手段の取付け面はローター軸に対しローターカバーの外側面に、また、ローターカバーの内側面には補強板が対向してローターカバーを挟持するように設けられ、該挟持部は前記ローターカバーの側面視くの字状の折り曲げ部が含まれる位置であることを特徴とする代掻き作業機を提案する。
【発明の効果】
【００１０】
この発明によれば、トラクタ後輪と代掻き作業機の砕土部との間にトラクタ後輪により形成される轍溝へ土壌を埋め戻すための均平補助手段が設けられているため、砕土部で砕土された後の整地部での均平作用を補助することができる。また、均平補助手段は、ローターカバーの前方部に取付けられていて、ローターカバーの取付け部は側面視くの字状の折り曲げ部が設けられ、均平補助手段はローターカバーの外側面に、また、ローターカバーの内側面には補強板が対向してローターカバーを挟持するように設けられ、挟持部はローターカバーの側面視くの字状の折り曲げ部が含まれる位置であるため、薄い板材で構成されるローターカバーや補強板及び均平補助手段の取付け部は、くの字状の折り曲げ部により強度が増化して、均平補助手段の為の専用部品が最小限で構成可能であり簡易な構造を実現可能で、重量増加を最小に抑え、製造コストを低く抑えることが可能であり、轍溝へ埋め戻すための反力を十分に受けることができ、耐久性のある代掻き装置を提供することができる。
【００１１】
さらに、
【図面の簡単な説明】
【００１２】
【図１】本発明を実施した代掻き作業機をトラクタに装着した作業状態の側面図
【図２】均平補助手段部を含む断面した要部側面図
【図３】均平補助手段部の正面図
【図４】本発明を実施した代掻き作業機をトラクタに装着した状態の平面図
【発明を実施するための形態】
【００１３】
以下、本発明の実施例を以下の図面に基づいて説明する。図１は本発明を実施した代掻き作業機をトラクタに装着した作業状態の側面図、図２は同じく均平補助手段部を含む断面した要部側面図、図３は本発明を実施した代掻き作業機の片側正面を示したもので均平補助手段部の向かって右側の正面図、図４は本発明を実施した代掻き作業機をトラクタに装着した状態の平面図を示したものでトップリンクは省略されている。
【００１４】
本例に示す代掻き作業機２は、トラクタ１に装着されて代掻きや砕土作業を行う装置である。トラクタ１の後方に設けた左右一対のロワーリンク１２とその中央上方に設けたトップリンク１１とからなる３点リンクヒッチ機構に、これらを定型化する連結枠２５（クイックカプラー又はオートヒッチと称される）を前記ロワーリンク１２に水平方向に設けたロワーリンクピン２５１と前記トップリンク１１に同じく水平方向に設けたトップリンクピン２５２をそれぞれ挿入して取り付け、代掻き作業機２の前方フレームに設けた左右一対のロワーピン２５４と該中央上方に設けたトップマスト２６の前端部に設けたアッパーピン２５３に前記連結枠２５の係合部を係合させ連結される。
【００１５】
連結手順は、先ず連結枠２５上方のフック２５５を前記トップマスト２６のアッパーピン２５３に係合させ、トラクタの３点リンク機構を上昇させ連結された連結枠２５を上昇させると、前記代掻き作業機２側のロワーピン２５４が連結枠２５側に引き寄せられ連結枠２５の下部の係合部と係合し連結される。下部の係合部は、連結枠２５に設けたピン固定フック２５６をロワーピン２５４に引掛けて外れ防止をする。
【００１６】
代掻き作業機２前方中央水平方向に突設させて設けた入力軸２７は、トラクタ１の図示していないＰＴＯ軸とユニバーサルジョイントで連結され、トラクタ１の回転動力を代掻き作業機２側に入力するためのものである。入力軸２７に入力された回転動力は、入力軸２７を突設して設けた左右中央部のギヤボックス２８に入力され、ギヤボックス２８内のベベルギヤを介してギヤボックス２８から左右水平方向に延設したメインフレーム２２内の駆動軸により左右方向いずれか側方に設けた伝動チェーンケース２０５に伝達され、該伝動チェーンケース２０５に内装されているスプロケットに伝動され、これに巻架される伝動ローラーチェーンにより、下方に設けた砕土部２０のローター軸２０２に固着されたスプロケットを駆動しローター軸２０２を回転駆動する。砕土部２０は、機幅方向に長いローター軸２０２に放射状に砕土爪２０１を固着させて設けてあり、回転する砕土爪２０１により土を砕土するように構成されていて、ローター軸２０２上方部はローターカバー２０３で覆われて砕土された土の飛散を防止する。
【００１７】
ローターカバー２０３の後方部には、整地部２１が設けてあり、ローターカバー２０３の後端部に設けた水平方向の第１回動ピン２１１を支点に上下方向に回動する第１整地板２１ａと、第１整地板２１ａの後端部に設けた水平方向の第２回動ピン２１２を支点に上下方向に回動自在に連結された第２整地板２１ｂとで構成する均平板２１０が設けられていて、砕土部２０で砕土され飛散する土を後方部で受け止めるとともに鎮圧して整地する。
【００１８】
トラクタ車輪１０と代掻き作業機２の砕土部２０との間には、トラクタ車輪１０により形成される轍溝へ土壌を埋め戻すための均平補助手段３が設けられている。均平補助手段３は、砕土部２０のローター軸２０２の上方部を覆うローターカバー２０３前方部に取付けられていて、ローターカバー２０３の取付け部は側面視くの字状の折り曲げ部２０４が設けられ、均平補助手段３，３´の取付け面はローター軸２０２に対しローターカバー２０３の外側面に、また、ローターカバー２０３の内側面には補強板３１が対向してローターカバー２０３を挟持するように設けられ、該挟持部は前記ローターカバー２０３の側面視くの字状の折り曲げ部２０４が含まれる位置に設けられている。
【００１９】
土寄せ板３３，３３´は、トラクタ後輪１０により形成される轍溝の側方の土壌が盛り上がった部分に位置するように取付けられ、トラクタ１の進行により平面視斜設して設けた土寄せ板３３，３３´によって盛り上がった土壌を轍溝に誘導し埋め戻す。土寄せ板３３，３３´は、ローターカバー２０３に固着される第１ブラケット３００と第１ブラケット３００に取り付けられ一方に土寄せ板３３を取り付ける第２ブラケット３０１，３０１´により取り付けられていて、トラクタ１を中心に左右対称に設けられていて、略平面視進行方向外側前方に斜めに端面を向け設けられるとともに、前方に板状平面を斜めに向けた形状となっている。平面部は土が誘導しやすいように先端部に折り曲げ部を設けたり曲面状にしても良い。
【００２０】
第１ブラケット３００と第２ブラケット３０１，３０１´の固着部分は複数の取付け孔を設けていて、上下位置を選択して取付けることにより、土寄せ板３３，３３´を上下方向に調整できる。また、第２ブラケット３０１，３０１´と土寄せ板３３，３３´の取付け部にも複数の取付け孔が設けられていて、孔を変えることにより土寄せ板３３，３３´の左右位置や前方への傾き角を調整できる。上下方向や左右方向の調節は、砕土部２０の耕深量や土質または轍溝の深さや大きさ等により最適位置が異なる為調整可能となっている。均平補助手段３，３´は、トラクタ車輪１０により形成される凹部轍溝やその側方に盛り上げられた土壌を均平化して、後方に位置する砕土部２０や整地部２１の負担を軽減して代掻き均平性を補助する。
【００２１】
第１ブラケット３００が当接して固着されたローターカバー２０３の内側には補強板３１が設けられていて、第１ブラケット３００と補強板３１によりローターカバー２０３を挟持するようにボルトとナットにより締結され固着されている。挟持部のローターカバー２０３には側面視左右方向に延びる折り曲げ部２０４が設けられ、第１ブラケット３００と補強板３１の挟持面は折り曲げ部２０４に沿った形状に折り曲げられている。これにより取付け挟持部の強度が折り曲げ部によりアップして、土寄せ板３３，３３´による土壌を移動させるための反力を十分に受け止めることが可能となる。
【産業上の利用可能性】
【００２２】
この発明は、トラクタ等の走行機後方に装着されて使用される代掻き作業機や砕土作業機等の均平作業を目的とした農業用代掻き機械に利用される。
【符号の説明】
【００２３】
１    トラクタ
１０  トラクタ車輪
１１  トップリンク
１２  ロワーリンク
２    代掻き作業機
２０  砕土部
２０１  砕土爪
２０２  ローター軸
２０３  ローターカバー
２０４  折り曲げ部
２０５  伝道チェーンケース
２１  整地部
２１０  均平板
２１ａ  第１整地板
２１ｂ  第２整地板
２１１  第１回動ピン
２１２  第２回動ピン
２２  メインフレーム
２５  連結枠
２５１  ロワーリンクピン
２５２  トップリンクピン
２５３  アッパーピン
２５４  ロワーピン
２５５  フック
２５６  ピン固定フック
２６  トップマスト
２７  入力軸
２８  ギヤボックス
３，３´  均平補助手段
３０，３０´  取り付けブラケット
３００  第１ブラケット
３０１，３０１´  第２ブラケット
３１  補強板
３２  取り付け孔
３３，３３´  土寄せ板
【図１】
2012039981.tif 000003
【図２】
2012039981.tif 000004
【図３】
2012039981.tif 000005
【図４】
2012039981.tif 000006